(57)【特許請求の範囲】
【請求項１】
複数の針布を具備したフラットバーと該フラットバーを前進駆動させる少なくとも１本のエンドレスの駆動部材を含んで成り、フラットバーはその両端部がフレキシブルな滑りガイド上で滑り移動し、次いでフラット転向ローラを介して進行方向を変えて滑りガイドと対向する側で戻るように案内され、前記滑りガイドが中央部分に凸面状に湾曲した領域を有し、且つ該中央部分の凸面状に湾曲した領域に隣接して前記フラット転向ローラに接する両側領域が凹面状に湾曲しており、前記中央領域と両側の凹面状に湾曲した転向領域が互いに独立しており、且つ前記中央領域が凸面状に湾曲した土台面上に載置されている、針布を備えたフラットバーから成る回転フラットを有するカードに設ける装置において、
滑りガイド（２０）の凸面状の領域が、土台面（１７、１７ｃ；３１、３１ａ）上で周方向に変位可能であって（Ａ、Ｂ）、前記滑りガイド（２０）は支持部材（３１）の外部では、該支持部材（３１）の内部におけるよりも幅が広いことにより、凸面状の領域（２０ｃ）の端部（２０’、２０”）が、凹面状に湾曲された転向領域（２５、２６）のそれぞれ対応する端部と、互いに嵌入可能に係合し、摺動可能な滑りガイド（２０）が、転向領域（２５、２６）の端部に向かって付勢されている（Ｈ）ことを特徴とするカードに設ける装置。
【請求項２】
前記滑りガイド（２０）を付勢するために、ばね（３３）が使用されることを特徴とする請求項１に記載の装置。
【請求項３】
滑りガイド（２０）の凸面状の領域が、くさび形状に形成されていることを特徴とする請求項１又は２に記載の装置。
【請求項４】
滑り面（２０ｂ）と土台面（１７ａ；１７ｃ）が、互いに対してくさび状に延びていることを特徴とする請求項１から３のいずれか一項に記載の装置。
【請求項５】
土台面が溝（１７ｃ）を有し、その溝内に滑りガイド（２０）の一部が配置されていることを特徴とする請求項１から４のいずれか１項に記載の装置。
【請求項６】
滑り面（２０）が、可撓性のプラスチックからなることを特徴とする請求項１から５のいずれか１項に記載の装置。
【請求項７】
前記可撓性のプラスチックが耐摩耗性を有することを特徴とする請求項６に記載の装置。
【請求項８】
前記可撓性のプラスチックの摩擦係数が比較的低いことを特徴とする請求項６又は７に記載の装置。
【請求項９】
滑りガイド（２０）の下方の斜面（２０ｂ）が、前記転向領域（２５、２６）を貫通するために、それに対応して斜めにカットされた土台面（１７ａ、１７ｃ）と協働することを特徴とする請求項１から８のいずれか１項に記載の装置。
【請求項１０】
転向領域（２５、２６）が、支持部材（３１）に固定配置されていることを特徴とする請求項１から９のいずれか１項に記載の装置。
【請求項１１】
転向領域（２５、２６）の端部が、フラットバー（１４、１４ａ、１４ｂ）の作業領域の外側に配置されていることを特徴とする請求項１から１０のいずれか１項に記載の装置。
【請求項１２】
転向領域（２５、２６）の端部が、ほぼＵ字状の支持部材（３１）の側壁（３１ｂ、３１ｃ）に取り付けられていることを特徴とする請求項１から１１のいずれか１項に記載の装置。
【請求項１３】
支持部材（３１）が、基台（１７、２３）に、固定位置（３２ａ、３２ｂ）で固定されていることを特徴とする請求項１から１２のいずれか１項に記載の装置。
【請求項１４】
前記滑りガイド（２０）の凸面状の領域が前記転向領域（２５、２６）を貫通する嵌入部が、フラットバー（１４、１４ａ、１４ｂ）の作業領域の外側に設けられていることを特徴とする請求項１から１３のいずれか１項に記載の装置。
【請求項１５】
Ｕ字状の支持部材（３１）が、２つの平坦な側壁（３１ｂ、３１ｃ）と、１つの平坦な底面（３１ａ）を有することを特徴とする請求項１から１４のいずれか１項に記載の装置。
【請求項１６】
側壁（３１ｂ、３１ｃ）がそれぞれ延長部を有することを特徴とする請求項１から１５のいずれか１項に記載の装置。
【請求項１７】
摺動可能な滑りガイド（２０）が、支持部材（３１）の端面（３１’、３１”）を越えて突出していることを特徴とする請求項１から１６のいずれか１項に記載の装置。
【請求項１８】
摺動可能な滑りガイド（２０）が、支持部材（３１）の側壁（３１ｂ、３１ｃ）によって案内されていることを特徴とする請求項１から１７のいずれか１項に記載の装置。
【請求項１９】
滑り面（２０ｂ）が、支持部材（３１）の底面（３１ａ）上へ載置可能かつ持ち上げ可能であることを特徴とする請求項１から１８のいずれか１項に記載の装置。
【請求項２０】
摺動可能な滑りガイド（２０）の滑り面（２０ａ）が、支持部材（３１）の側壁（３１ｂ、３１ｃ）を少なくとも部分的に越えて突出していることを特徴とする請求項１から１９のいずれか１項に記載の装置。
【請求項２１】
摺動可能な滑りガイド（２０）が、凹面状に湾曲された転向部材（２５、２６）の下方に配置されていることを特徴とする請求項１から２０のいずれか１項に記載の装置。
【請求項２２】
摺動可能な滑りガイド（２０）の端部（２０’、２０”）と転向領域（２５、２６）の端部が、互いに重なり合っていることを特徴とする請求項１から２１のいずれか１項に記載の装置。
【請求項２３】
摺動可能な滑りガイド（２０）の端部（２０’、２０”）が、転向領域（２５、２６）の端部に添接することを特徴とする請求項１から２２のいずれか１項に記載の装置。
【請求項２４】
摺動可能な滑りガイド（２０）が、約１００ｍｍ変位可能であることを特徴とする請求項１から２３のいずれか１項に記載の装置。
【請求項２５】
滑りガイド（２０）の変位（ａ）が、半径方向（ｒ１）に約０．０１から０．３ｍｍであることを特徴とする請求項１から２４のいずれか１項に記載の装置。
【請求項２６】
滑りガイド（２０、３６）の上面の上方に、他の変位可能な滑りガイド（３５）が配置されていることを特徴とする請求項１から２５のいずれか１項に記載の装置。
【請求項２７】
前記他の滑りガイド（３５）の滑り面（３５ａ）の変位（ａ）が、半径方向に約０．２から４ｍｍであることを特徴とする請求項１から２６のいずれか１項に記載の装置。
【請求項２８】
フラットバー（１４、１４ａ、１４ｂ）が、滑りガイド（２０、２０ａ）から支持部材（３１、３１ｂ、３１ｃ）上へ移動可能であることを特徴とする請求項１から２７のいずれか１項に記載の装置。
【請求項２９】
フラットバー（１４、１４ａ、１４ｂ）が、滑りガイド（２０、２０ａ）から転向領域（２５、２６）へ移動可能であることを特徴とする請求項１から２８のいずれか１項に記載の装置。
【請求項３０】
中央の領域と２つの転向領域が一体的に形成されており、その場合に凹面状に形成された転向領域が薄肉かつバンド形状であって、その端部がばね付勢されている、請求項１から２９のいずれか１項に記載の装置において、
滑りガイド（２０）の凸面状の領域が、土台面（１７、１７ａ、１７ｂ）の周方向に変位可能（Ａ、Ｂ）であることを特徴とする装置。
【発明の詳細な説明】
【０００１】
【発明の属する技術分野】
本発明は複数の針布を具備したフラットバーと該フラットバーを前進駆動させるフレキシブルベルトの如き少なくとも１本のエンドレスの駆動部材を含んで成り、フラットバーはその両端部がフレキシブルな滑りガイド上で滑り移動し、次いでフラット転向ローラを介して進行方向を変えて滑りガイドと対向する側で戻るように案内され、前記滑りガイドが中央部分に凸面状に湾曲した領域を有し、且つ該中央領域に隣接して前記フラット転向ローラに接する両側領域が凹面状に湾曲しており、前記中央領域と両側の凹面状湾曲の転向領域が互いに独立しており、且つ前記中央領域が機台の凸面状に湾曲した土台面上に載置されている、針布を備えたフラットバーから成る回転フラットを有するカードに設ける装置に関する。
【０００２】
【従来の技術】
実際において、滑りガイドの凸面状の外側面と滑りガイドの凹面状の内側面並びにフレキシブルアーチの外側面（土台面）の間の距離は、周方向にわたって等しい。滑りガイドの凸面状の外側面、滑りガイドの凹面状の内側面およびフレキシブルアーチの凸面状の外側面は、カードのドラム軸に関して互いに同心に配置されている。フレキシブルアーチは切欠き、たとえば溝を有し、その中にフラットバーを案内する柔軟な滑りガイドが固定位置で挿入されている。たとえばカードスライバ内のネップ数および/または繊維縮小が増大したことにより、フラット針布の尖端とドラム針布の尖端との間の距離を変化させるために、フレキシブルアーチの位置が多数の調節ボルトによって変更され、それによって同時に滑りガイドの位置も変更されるので、それに伴ってフラットヘッドを介してフラット針布を有するフラットバーの位置と針布間の距離も同様に変更される。このようにフレキシブルアーチを調節し直すことは、面倒である。さらに、フレキシブルアーチの幾何学配置は、調節ボルトの数に関係する。さらに、停止状態において側方のカード部材、たとえば駆動装置、吸引装置並びにフラットバーを取り外して、再び取り付けなければならない。それは、多大な組立ての手間と結び付くものである。さらに、停止状態によって、カードの連続的な生産駆動が中断される。
【０００３】
公知の装置においては、滑りガイドの中央の領域が、フレキシブルアーチの１個所に固定されている。それによって滑りガイドは位置固定される。固定個所はフラットの移動方向に見て、凸面状に湾曲された滑り領域の始端の領域にある。フラットバーは走行方向においてフレキシブルな滑りガイドに引っ張り力を加え、それによって変形が発生する恐れがある。それによって、フラットバーを滑りガイドから転向領域へ移動させる際に不安定になる場合がある。
【０００４】
【発明が解決しようとする課題】
従って本発明の課題は、上述した欠点を除去し、特に凸面状の滑りガイドの形状安定性を改良し、フラットバーを凸面状の滑りガイドから凹面状の転向領域へ障害なしで移動させることを可能にする、冒頭で述べた種類の装置を提供することである。
【０００５】
【課題を解決するための手段】
この課題の解決は、請求項１に記載の特徴によって解決される。
【０００６】
【発明の実施の形態】
本発明に基づく手段によれば、凸面状の滑りガイドが変位する場合に、フラットバーを凸面状の滑りガイドから凹面状の転向領域へ障害なしに移動させることが可能になる。滑りガイドの両端部に配置する場合には、転向領域から中央の滑りガイドへの移行も妨害されない。滑りガイドの中央の凸面状の領域が周方向に変位可能であって、その端部が転向領域を貫通することによって、一長手方向に一引っ張り力が作用した場合に、凸面状の滑りガイドは自由に変位することができる。さらに、このようにして、中央の滑りガイドを手動または電動で摺動させることができ、その場合に滑り面が径方向に変位されるが、転向領域への完全に障害のない移行が行われる。くさび状の構成においては、滑りガイドは嵌入部の向う側で一高さ方向に一変位することができ、それによって固定配置の転向領域に対する厚みの差を補償することができる。
【０００７】
好ましくは滑りガイドの中央領域は、くさび形状に形成されている。好ましくは滑りガイドと底面は互いに対してくさび状に延びている。好ましくは土台面は溝を有し、その中に滑りガイドの一部が配置されている。好ましくは滑りガイドは、可撓性のプラスチックからなる。好ましくは耐摩耗性を有するプラスチックであると良い。好ましくは摩擦係数の低いプラスチックを用いるとよい。好ましくは滑りガイドの下方の斜面（底面）は、それに対応して斜めカットされた土台面と協働する。好ましくは転向領域は、固定配置である。好ましくは転向領域の端部は、フラットバーの作業領域の外側に配置されている。好ましくは転向領域の端部は、ほぼＵ字状の支持部材の側壁に取り付けられる。好ましくは支持部材は、たとえば基台などに、固定配置されている。好ましくは嵌入部は、フラットバーの作業領域の外部に設けられている。好ましくはＵ字状の支持部材は２つの平坦な側壁と、平坦な底面とを有する。好ましくは側壁は、それぞれ延長部を有する。
【０００８】
好ましくは摺動可能な滑りガイドは、支持部材の端面を越えて突出している。好ましくは摺動可能な滑りガイドは、支持部材の側面によって案内される。好ましくは滑り面は、支持部材の底面上に少なくとも部分的に載置される。好ましくは摺動可能な滑りガイドは、支持部材の側壁を越えて突出する。好ましくは摺動可能な滑りガイドと転向領域の端部は、互いに対応している。好ましくは摺動可能な滑りガイドは、転向領域の端部に向けて付勢されている。好ましくは摺動可能な滑りガイドの端部は、転向領域の端部に添接している。好ましくは付勢するために、ばねなどが利用される。好ましくは摺動可能な滑りガイドは、約１００ｍｍ変位することができる。好ましくは滑りガイドの変位は、径方向に約０．０１から０．３ｍｍ行われる。好ましくは滑りガイドの下方の面の下方に、他の変位可能な滑りガイドが配置されている。好ましくは他のくさび形状の滑りガイドの滑り面の変位は、径方向に約０．２から４ｍｍ行われる。好ましくはフラットバーを滑りガイドから支持部材へ移動させることができる。好ましくはフラットバーを滑りガイドから転向領域へ移動させることができる。好ましくは、中央領域と２つの転向領域が一体的に形成されており、その場合に凹面状に形成された転向領域が肉薄であって、かつバンド形状であり、その端部がばね負荷を受ける装置において、滑りガイドの中央の領域が土台面の周方向へ変位することができる。
【０００９】
【実施例】
以下添付図面に示す実施例に基づいて本発明を詳述する。
図１は、フィードローラ１、フィードテーブル２、テーカインローラ３ａ、３ｂ、３ｃ、シリンダー４、ドッファ５、ストリップローラ６、絞りローラ７、８、フリース案内部材９、トランペット１０、デリバリローラ１１、１２、フラットバー１４を備えた回転フラット１３、ケンス１５並びにケンスコイラー１６を有するカード、たとえばツリュツラー社のＥＸＡＣＴＡＣＡＲＤ  ＤＫ８０３を示している。それぞれのローラの回転方向は、湾曲した矢印で示されている。符号Ｍは、シリンダー４の中心点（軸）を示している。歯付きベルト車として形成された前方と後方のフラット転向ローラ１３ａ、１３ｂの回転方向Ｃ、Ｄ（図４参照）は、シリンダー４の回転方向Ｇと逆である。フラットバー１４は、ダブル歯付きベルトによって滑りガイドを介して引っ張られている。滑りガイド２０（図２参照）と反対側の回転フラット１３の上側では、フラットバー１４は、図３に示すように矢印Ｆ方向へ戻るように案内される。
【００１０】
図２に示すように、カードの各シリンダの両側面において基台２３の側方に、フレキシブルアーチ１７が設けられている。フレキシブルアーチ１７は凸面状の上側面１７ａと下側面１７ｂとを有する。フレキシブルアーチ１７の上方には、たとえば滑りやすいプラスチックからなる、中央で凸面状に湾曲された滑りガイド２０が設けられており、その滑りガイド２０は凸面状の外側面２０ａと凹面状の内側面２０ｂを有する。凹面状の内側面２０ｂは、環状溝１８ｃ内で凸面状の外側面１８ａ上に載置されて、この外側面上で矢印Ａ、Ｂ方向に滑り移動することができる。滑りガイド２０の変位は、モータ、伝導機構などの駆動装置を有する（図示されていない）変位装置によって行われる。フラットバー１４の両端部には、それぞれフラットヘッド１４ａが設けられており、そのフラットヘッドに２つのスチールピン１４ｂが軸方向に固定されており、そのスチールピンが滑りガイド２０の凸面状の外側面２０ａ上で矢印Ｃ方向に滑り移動する。支持体１４ｃの下面には、フラット針布１４ｄが取り付けられている。符号２１は、フラット針布１４ｄの尖端円を示している。シリンダー４の周面にはドラム針布４ａ、たとえば鋸歯針布が設けられている。符号２２は、シリンダー針布４ａの尖端円を示している。尖端円２１と尖端円２２との距離は、ａで示されており、たとえば０．２０ｍｍである。凸面状の外側面２０ａと尖端円２２との距離は、ｂで示されている。凸面状の外側面２０ａの半径はｒ１で、そして尖端円２２の半径はｒ２で図示されている。半径ｒ１とｒ２は、シリンダー４の中心点Ｍ（図１を参照）で交差する。
【００１１】
図３は、図１に示す装置（回転フラット）の詳細を示すものであって、その場合にフラットバー１４’、１４”、１４’”を前進させるために、エンドレスのフレキシブルな歯付きベルト２４が設けられており、フラットバー１４のフラットヘッド１４ａ（フラットバー１４の端部）の下側が、滑りガイド２０の滑り面である外側面２０ａ上で滑り移動する。歯を有する歯付きベルト車１３ａは、矢印Ｃの方向に回転し、歯付きベルト２４の内側に設けられた歯と噛合して、歯付きベルト２４の下方のベルト部分を矢印Ｅ方向へ引っ張って前進させる。歯付きベルト２４の外側は、フラットヘッド１４ａのフラット針布１４ｄの反対側の面と相補形状で噛合する。歯付きベルト２４がフラットヘッド１４ａを滑りガイド２０の凸面状に湾曲された領域へ押圧する。歯付きベルト車１３ａには、滑りガイド２０の凹面状に湾曲された領域２５が対向し、フラットバー１４が方向変換する際にその領域によって保持される。歯付きベルト車１３ｂは、矢印Ｄ方向に回転し（図４参照）、歯付きベルト２４の内側の歯と噛合して、歯付きベルト２４の上方のベルト部分を矢印Ｆ方向へ引っ張る。フラットバー１４すなわちフラットバーヘッド１４ａは、歯付きベルト２４の上方のベルト部分の外側上にルーズに載置されている。滑りガイド２０は、フレキシブルアーチ１７上に配置されており、矢印Ａ、Ｂ方向へ摺動することができる。滑りガイド２０は、凸面状に湾曲された中央の領域（部分）２０ｃを有し、フラット転向ローラ１３ａに接して凹面状に湾曲された部分２５と、フラット転向ローラ１３ｂに接して凹面状に湾曲された部分２６を有する。３つの領域２０ｃ、２５、２６は、互いに独立している。凹面状に湾曲された部分２５と２６は、フラット転向ローラ１３ａないし１３ｂの領域でフレキシブルアーチ１７に固定されている（図６を参照）。
【００１２】
図４によれば、凹面状に湾曲された領域２５の自由端部に、引っ張りばね２７の一端が固定されており、その引っ張りばねの他端は固定配置の支持体２８に取り付けられている。柔らかい引っ張りばねを設けることによって、凹面状に湾曲された滑りガイドによる煩わしい圧接（巻付き圧力）が防止される。凹面状に湾曲された領域２６の自由端部にも、同様にして引っ張りばね２９が取り付けられており、その引っ張りばねの他方の端部は、固定配置の支持体３０に取り付けられている。滑りガイド２０の端部領域２０’と２０”は、転向ガイドの役割を果す部分２５および部分２６のそれぞれ対応する端部２５’ないし２６’と互いに嵌入するように係合している。以下の説明では部分２５、２６を転向ガイド２５、２６と称す。
【００１３】
図５（Ａ）に示すように、転向ガイド２６に支持部材３１が取り付けられており、その支持部材が図６に斜視図で図示されている。同様に（図示されていないが）転向ガイド２５には支持部材３１が取り付けられている。図６に示すように支持部材３１と３２並びに付属の転向ガイド２６ないし２５は、それぞれ一体であって、プラスチックから形成されている。支持部材３１はボルト３２ａ、３２ｂによってフレキシブルアーチ１７に固定されている。支持部材３１は断面がほぼＵ字状に形成されており、底面３１ａとその上に垂直に配置された２つの側壁３１ｂ、３１ｃを有する。このようにして、支持部材３１は両端面側が開放して形成されている。端面３１”の領域において、転向ガイド２６は上方の２つの側壁３１ｂ、３１ｃに対して、その個所において支持部材３１が上方から覆われるように、配置されている。転向部材２６のこの覆われた部分に、底面３１ａの切欠きが対向している。側壁３１ｂ、３１ｃは転向ガイド２６の方向へ上昇するように形成されており、その場合に側壁３１ｂ、３１ｃの上方の面と転向部材２６の上方の滑り面は、継目なしに互いに移行している。凸面状に湾曲された滑りガイド２０は、図５（Ａ）、５（Ｂ）に示すように、一部がフレキシブルアーチ１７の溝１７ｃ内に取り付けられており、他の部分は上方の面１７ａを越えて突出している。さらに、滑りガイド２０の一部が支持部材３１の内部空間に配置されており、他の部分は側壁３１ｂと３１ｃの上方の面を越えて突出している。
【００１４】
その場合に滑り部材２０は支持部材３１に関して、一方の端面側開口部３１’を通って進入し、他方の端面側開口部３１”を通って出ており、すなわち滑りガイド２０は支持部材３１の両端面側に突出している。滑りガイド２０は支持部材３１の内部空間内で、底壁３１ａ方向においても、側壁３１ｂ、３１ｃの方向においても遊び空間を有し、すなわち間隙が存在する。フレキシブルな滑りガイド２０は、溝１７ｃの領域では凸面状に屈曲されて、付勢されており、フラットヘッド１４ａの圧接力と溝１７ｃによって押圧されている。支持部材３１へ進入したところ３１’から、滑りガイドの終端領域はほぼまっすぐになっている。それによって湾曲された矢印Ｈの方向にトルクが発生し、それによって終端領域はカバーないしは転向ガイド２６の方向への応力を受ける。その応力を回動部材、たとえばボール３４を有するばね３３などによって増強することができるので、滑りガイド２０は転向ガイド２６の稜に添接し、それによって悪影響が防止される。フラットヘッド１４ａが支持部材３１の上方で、滑りガイド２０を上述した応力に抗して底面３１ａの方向へ押圧した場合に、滑り面２０ａは側面３１ｂ、３１ｃの両方の自由な上面と整合するので、フラットヘッド１４ａないしはスチールピン１４ｄが滑り面２０ａ上に、そして側壁３１ｂ、３１ｃの上面上に載置される。すると、側壁３１ｂ、３１ｃの上面が転向ガイド２６へ継目なしに移行するので、このようにしてフラットヘッド１４ａが滑りガイド２０の滑り面２０ａから滑りガイド２６の滑り面２６ａ上へ障害なしに滑らかに移行することができる。
【００１５】
図７（Ａ）、７（Ｂ）および７（Ｃ）によれば、フレキシブルアーチ１７は、転向ガイド２６よりも幅広である。滑りガイド２０は支持体３１の外部では、支持体３１の内部におけるよりも幅が広い。図７（Ｂ）において符号ｃは、滑りガイドが矢印Ａ、Ｂ方向へ摺動できる距離の長さを示している。
図８（Ａ）、８（Ｂ）および８（Ｃ）によれば、支持体３１が側壁３１ｃを有する実施形態が設けられている。
【００１６】
図９には、滑りガイド２０を有するサイドシールド２３が概略的に図示されている。滑りガイド２０は断面が厚く、固定のサイドシールド２３のアーチ形状の溝１８ｃ内に固定配置されており、その場合に溝底の半径方向の中心点は、中心点Ｍに対して偏心して配置されている。それによって溝底が載置面として斜めにカットされている。滑りガイド２０はアーチ形状に平行に形成されている。外側面２０ａ上には他の滑りガイド３５が取り付けられており、その滑りガイドは矢印Ｉ、Ｋの方向へ摺動することができ、かつくさび形状に形成されている。滑りガイド３５（くさび条片）は、わずかな厚みを有し、わずかな勾配を有し（１：２５０、すなわちＩ、Ｋ方向へ５０ｍｍ摺動した場合に０．２ｍｍ）、技術的な微調整のために用いられる。滑りガイド３５の終端領域は、転向領域２５、２６と互いに嵌入するように係合している。断面が厚い滑りガイド２０は、製造誤差と針布の高さの差を補償するために用いられ、従来のフレキシブルアーチ１７に代わるものである。
【００１７】
図１０によれば、滑りガイド３６として、大きな勾配（１：１５＝５０ｍｍ摺動した場合に３．３ｍｍ）を有する大雑把なくさび条片が設けられている。従来のフレキシブルアーチ１７に代わる滑りガイドは、環状溝内で矢印Ｌ、Ｍ方向に摺動することができ、製造誤差と異なる針布高さを補償するために用いられる。外側面３６ａ上には、図９に相当するくさび条片３５が配置されている。滑りガイド３６とくさび条片３５の勾配は、互いに逆である。滑りガイド３６とくさび条片３５の終端領域は、転向ガイド２５、２６と互いに嵌入するように係合している。
【図面の簡単な説明】
【図１】本発明による装置を具備した略示側面図である。
【図２】フラットバー、変位可能な凸状の滑りガイド、およびフレキシブルアーチとから成る本発明の装置およびフラットバーの針布とシリンダーの針布との間の距離関係を示すカードの部分断面図である。
【図３】図１に示す回転フラットの一部分の拡大側断面図である。
【図４】中央に配置された凸面状に湾曲した部分とその両端に設けた凹面状に湾曲した形状を有する２個の転向滑りガイドから成る滑りガイドの略示側面図である。
【図５】フレキシブルアーチと滑りガイドとの関係を示す図であって図５（Ａ）は側面図、図５（Ｂ）は図５（Ａ）の線Ｖｂ−Ｖｂによる断面図、図５（Ｃ）は図５（Ａ）の線Ｖｃ−Ｖｃによる断面図である。
【図６】滑りガイド、転向ガイド及び支持体の結合状態を示す斜視図である。
【図７】滑りガイド、転向ガイド及びフレキシブルアーチの連結構成の他の変更例を示す図であって、図７（Ａ）は側断面図、図７（Ｂ）図は上面図、図７（Ｃ）図は横断面図である。
【図８】滑りガイド、転向ガイド及びフレキシブルアーチの連結構成のさらに他の変更例を示す図であって、図８（Ａ）は側断面図、図８（Ｂ）は上面図、図８（Ｃ）は横断面図である。
【図９】フラットヘッドのための摺動可能な滑り条片の代わりに固定配置の柔軟な滑りガイドが配置されているカードシリンダの略示側面図である。
【図１０】フラットヘッドのための摺動可能な滑り条片の代わりに摺動可能な柔軟な滑りガイドが配置されているカードシリンダの略示側面図である。
【符号の説明】
１４、１４ａ、１４ｂ…フラットバー
１７、１７ｃ；３１、３１ａ…土台面
２０…滑りガイド
２０ｂ…滑り面
２５、２６…転向領域
３１…支持部材
【図１】
0004387492.tif 000002
【図２】
0004387492.tif 000003
【図３】
0004387492.tif 000004
【図４】
0004387492.tif 000005
【図５】
0004387492.tif 000006
【図６】
0004387492.tif 000007
【図７】
0004387492.tif 000008
【図８】
0004387492.tif 000009
【図９】
0004387492.tif 000010
【図１０】
0004387492.tif 000011